(57)【特許請求の範囲】
【請求項１】
長手方向の寸法の長い第１の挿入口と、長手方向の寸法の短い第２の挿入口とが並んで配置してあり、前記第１の挿入口に第１のメモリカードが挿入され、前記第２の挿入口に前記第１のメモリカードよりも幅寸法が短い第２のメモリカードが挿入される構成のメモリカード用コネクタであって、
排他的制御部材を有し、
該排他的制御部材は、前記第１のメモリカードが前記第１の挿入口に挿入されたことによって変位して前記第２のメモリカードの前記第２の挿入口への挿入をブロックできる状態となり、前記第２のメモリカードが前記第２の挿入口に挿入されたことによって変位を制限されて前記第１のメモリカードの前記第１の挿入口への挿入をブロックできる状態となる構成であり、
且つ、前記排他的制御部材は、前記第２のメモリカードの前記第１の挿入口への挿入をブロックする突起部を有する構成とし、
前記排他的制御部材は、前記第１の挿入口と前記第２の挿入口との間に設けてあり、本体部と、該本体部より前記第１の挿入口側に突き出ている斜面部とを有する構成であり、
前記第１の挿入口に挿入された前記第１のメモリカードによって前記斜面部を押されて変位されて、前記本体部が前記第１の挿入口側に突き出る構成であり、
且つ、前記突起部は、前記斜面部よりも前記第１のメモリカードの挿入の方向上奥側の位置に配置してある構成とし、
前記排他的制御部材は、前記突起部に、斜面部を有し、
該斜面部が、前記第１の挿入口へ挿入された前記第２のメモリカードを所定方向に寄せる構成としたことを特徴とするメモリカード用コネクタ。
【発明の詳細な説明】
【技術分野】
【０００１】
本発明はメモリカード用コネクタに係り、特にパソコン、デジタルカメラ等の電子機器に組み込まれて使用され、メモリカードの多種類化に対応可能であるメモリカード用コネクタに関する。
【背景技術】
【０００２】
半導体フラッシュメモリーを利用したメモリカードが市販されており、パソコン、デジタルカメラ等の電子機器は、メモリカード用コネクタを備えた構成となっている。
【０００３】
現在では、メモリカードの種類が増えてきている。大別してメモリースティック系とＳＤ系とがあり、夫々、ノーマルサイズとスモールサイズがある。図１及び図２中、１はＳＤカード（商標）（以下、第１のメモリカードのという）、２はミニＳＤカード（商標）（以下、第１の小型メモリカードという）、３はＭＭＣカード（商標）（以下、第３のメモリカードという）である。１１はメモリースティック（商標）（以下、第２のメモリカードという）、１２はメモリースティックデュオ（商標）（以下、第２の小型メモリカードという）である。
【０００４】
従来においては、電子機器の小型化が重要とされており、一つのメモリカード用コネクタで上記の二種類のメモリカードに対応可能としたものが使用されている。
【０００５】
また、スモールサイズのメモリーカードをノーマルサイズのメモリカード用コネクタに装着する際に使用されるアダプタも市販されている。スモールサイズのメモリーカードをアダプタに装着すると、ノーマルサイズのメモリーカードのサイズと同じサイズとなる。
【特許文献１】特開２００１−２２３０４４号公報
【特許文献２】特開２００５−１８２６６２号公報
【発明の開示】
【発明が解決しようとする課題】
【０００６】
近年では、デジタルカメラなど普及により、パソコンやプリンタの装置はメモリースティック系のメモリーカードとＳＤ系のメモリーカードのどちらにも同時に対応することが求められている。よって、メモリースティック系のメモリーカードと、ＳＤ系のメモリーカードとの両者を同時に装着できるようにすることが求められる。また、スモールサイズのメモリーカードについては、面倒を避けるために、アダプタを使用しないでそのまま装着することができるようにすることが求められている。
【０００７】
また、電子機器に設けるコントローラとの関係で、メモリースティック系のメモリーカード及びＳＤ系のメモリーカードについて、ノーマルサイズのメモリーカードが装着された状態では、スモールサイズのメモリーカードの挿入を拒否し、逆に、スモールサイズのメモリーカードが装着された状態では、ノーマルサイズのメモリーカードの挿入を拒否できるようになっていることが求められている。
【０００８】
本発明は、上記の点に鑑みなされたものであり、上記課題を解決したメモリカード用コネクタを提供することを目的とする。
【課題を解決するための手段】
【０００９】
本発明は、  長手方向の寸法の長い第１の挿入口と、長手方向の寸法の短い第２の挿入口とが並んで配置してあり、前記第１の挿入口に第１のメモリカードが挿入され、前記第２の挿入口に前記第１のメモリカードよりも幅寸法が短い第２のメモリカードが挿入される構成のメモリカード用コネクタであって、
排他的制御部材を有し、
該排他的制御部材は、  前記第１のメモリカードが前記第１の挿入口に挿入されたことによって変位して前記第２のメモリカードの前記第２の挿入口への挿入をブロックできる状態となり、前記第２のメモリカードが前記第２の挿入口に挿入されたことによって変位を制限されて前記第１のメモリカードの前記第１の挿入口への挿入をブロックできる状態となる構成であり、
且つ、前記排他的制御部材は、前記第２のメモリカードの前記第１の挿入口への挿入をブロックする突起部を有する構成とし、
前記排他的制御部材は、前記第１の挿入口と前記第２の挿入口との間に設けてあり、本体部と、該本体部より前記第１の挿入口側に突き出ている斜面部とを有する構成であり、
前記第１の挿入口に挿入された前記第１のメモリカードによって前記斜面部を押されて変位されて、前記本体部が前記第１の挿入口側に突き出る構成であり、
且つ、前記突起部は、前記斜面部よりも前記第１のメモリカードの挿入の方向上奥側の位置に配置してある構成とし、
前記排他的制御部材は、前記突起部に、斜面部を有し、
該斜面部が、前記第１の挿入口へ挿入された前記第２のメモリカードを所定方向に寄せる構成としたことを特徴とする。
【発明の効果】
【００１０】
長手方向の寸法の異なる挿入口が二つ並んでいるメモリカード用コネクタにおいて、一つのメモリカードが所定の挿入口が挿入装着されている状態において、別の挿入口に別のメモリカードを誤って挿入してしまう誤操作を防止することに加えて、長手方向の寸法の長い挿入口に小さいサイズのメモリカードを誤って挿入してしまう誤操作を防止することが出来る。
【発明を実施するための最良の形態】
【００１１】
次に本発明の実施の形態について説明する。
【実施例１】
【００１２】
［メモリカードについて］
説明の便宜上、各メモリカードの幅寸法の大小関係について説明する。図１中、第１のメモリカード１は幅Ｗ１、第１の小型メモリカード（第２は幅Ｗ２、第３のメモリカード３は幅Ｗ３、第２のメモリカード１１は幅Ｗ１１、第２の小型メモリカード１２は幅Ｗ１２を有する。各幅は、Ｗ１>Ｗ２、Ｗ１１>Ｗ１２、Ｗ１>Ｗ１１、及びＷ１＝Ｗ３の関係にある。また、第１のメモリカード１は、Ｘ１側のＺ２側に溝部１ａを有する。また、図２に示すように、各メモリカード１等は、挿入方向（Ｙ１）の先端の下面に、接点群１ｂ、２ｂ、３ｂ、１１ｂ、１２ｂを有する。
［メモリカード用コネクタ５０］
図３は本発明の実施例１になるメモリカード用コネクタ５０が基板２０上に実装されている状態の斜視図、図４はカバー部材１００を取り外した状態の斜視図、図５はメモリカード用コネクタ５０の正面図、図６はカバー部材１００を取り外した状態の平面図、図７はコンタクト群を取り出して示す図である。Ｘ１−Ｘ２は幅方向、Ｙ１−Ｙ２は長手方向、Ｚ１−Ｚ２は厚さ（高さ）方向である。Ｙ１はメモリカードをメモリカード用コネクタへ挿入する方向であり、Ｙ２は引き抜く方向である。
【００１３】
メモリカード用コネクタ５０は、主に図４に示すように、Ｘ１側の第１のコネクタ部６０とＸ２側の第２のコネクタ部７０とを一体に有し、且つ、各コネクタ部６０，７０は夫々メモリカードが挿入されて装着される扁平な空間を上下二段に有する構成である。図５に示すように、第１のコネクタ部６０は、上側（Ｚ１側）の挿入口６１と、下側（Ｚ２側）の挿入口６２とを有する。第２のコネクタ部７０は、上側（Ｚ１側）の挿入口７１と、下側（Ｚ２側）の挿入口７２とを有する。挿入口６１と挿入口６２とは、左右の張り出し部      ８６，８８によって仕切られており、夫々の長手方向に延在する中心線ＣＬ６１，ＣＬ６２が平行となって且つ接近した配置である。挿入口７１と挿入口７２とは、同じく左右の張り出し部８９，８７によって仕切られており、夫々の長手方向に延在する中心線ＣＬ７１，ＣＬ７２が平行となって且つ接近した配置である。挿入口６１は第１のメモリカード１及び第３のメモリカード３用であり、挿入口６２は第１の小型メモリカード２用であり、挿入口７１は第２のメモリカード１１用であり、挿入口７２は第２の小型メモリカード１２用である。上記の張り出し部８６〜８９は挿入されるメモリカードの幅方向の両側をガイドする機能も有する。
【００１４】
長手方向の寸法は、挿入口６１はＷ６１、挿入口６２はＷ６２、挿入口７１はＷ７１、挿入口７２はＷ７２である。各幅寸法は、Ｗ６１>Ｗ６２、Ｗ７１>Ｗ７２の関係にある。
【００１５】
メモリカード用コネクタ５０は、プリント回路基板２０に実装されて、電子機器（図示せず）内に組み込まれる。電子機器の筐体２５には、挿入口６１，６２、７１、７２に対応して、４つのメモリカード挿入口２６〜２９が並んで形成してある。
【００１６】
また、電子機器には、図１に示すように、一つのＳＤ系コントローラ２１及び一つのＭＳ系コントローラ２２、ＣＰＵ２３等が設けてある。ＳＤ系コントローラ２１は第１のコネクタ部６０と電気的に接続してあり、ＭＳ系コントローラ２２は第２のコネクタ部７０と電気的に接続してある。
【００１７】
メモリカード用コネクタ５０は、平たい略箱形状の合成樹脂製のハウジング８０と、これを覆う金属板製のカバー部材１００とよりなる。
【００１８】
図４に示すように、ハウジング８０は、Ｘ１側のハウジング部８１とＸ２側のハウジング部８２とを一体に有し、両者の間は共通の仕切り壁部８３によって仕切られている。ハウジング部８１はＸ１側に側壁部８４を有し、ハウジング部８２はＸ２側に側壁部８５を有する。仕切り壁部８３は、Ｘ１側に張り出し部８６、Ｘ２側に張り出し部８７を有する。側壁部８４は、Ｘ２側に張り出し部８８を有する。側壁部８５は、Ｘ１側に張り出し部８９を有する。
【００１９】
ハウジング８０には、図７に示すコンタクト群１１０がインサート成形してある。コンタクト群１１０は、第１のメモリカード用コンタクト群１２０と、第１の小型メモリカード用コンタクト群１３０と、第２のメモリカード用コンタクト群１４０と、第２の小型メモリカード用コンタクト群１５０とよりなる。
【００２０】
ハウジング部８１に、コンタクト群１２０とコンタクト群１３０とがインサート成形してある。ハウジング部８２に、コンタクト群１４０とコンタクト群１５０とがインサート成形してある。
【００２１】
図７中、１２１はグランドコンタクト、１２２，１２３は検出コンタクトであり、共に、コンタクト群１２０の一部である。１３２は検出コンタクトであり、コンタクト群１３０の一部である。グランドコンタクト１２１は、二つのＬ字状立ち上がり部１２１ａ，１２１ｂを有し、且つ、先端側にＬ字形状部１２１ｃを有する。検出コンタクト１２２がＬ字状立ち上がり部１２１ａに、検出コンタクト１２３がＬ字状立ち上がり部１２１ｂに、検出コンタクト１３２がＬ字形状部１２１ｃに、共に、下側（Ｚ２側）から押し当たって接触している。即ち、３つの検出コンタクト１２２，１２３、１３２に対して一つのグランドコンタクト１２１が共通に使用されており、コンタクト群１２０，１３０はコンタクトの数が減っている。
［排他的制御部材１６０］
図８に示すように、張り出し部８８のうち挿入口６１に近い部位の切り欠かれている部分に、排他的制御部材１６０が、Ｚ１−Ｚ２方向に変位可能に組み込んである。排他的制御部材１６０は、本体部１６１を有し、この本体部１６１のＸ１側の部位に斜面部１６２を有し、Ｘ２側の部位に、突起部１６３を有する。斜面部１６２は突起部１６３よりもＹ２側に位置し、突起部１６３は斜面部１６２よりもＹ１側に位置している。本体部１６１は張り出し部８８と同じ厚さである。張り出し部８８は、Ｘ１側に段部８８ａを有する。斜面部１６２は、段部８８ａの位置にあり、Ｙ１方向に変位するにつれてＺ１方向に変位するように傾斜している。突起部１６３は、Ｚ１方向に突き出ており、Ｘ２側からＹ２側に亘る斜面部１６４を有する。斜面部１６４は、Ｙ１方向に変位するにつれてＸ２方向に変位し、且つ、Ｚ１方向に変位するにつれてＸ１方向に変位するように傾斜している。なお、段部８８ａは、第２のメモリカード１１及び第２の小型メモリカード１２の誤挿入をブロックする。
【００２２】
この排他的制御部材１６０は、コイルばね１６５によってＺ１方向に移動されて位置決めされており、図８に示すように、本体部１６１は張り出し部８８と同じ高さに位置している。斜面部１６２は段部８８ａよりＺ１方向に突き出ており、後述するように挿入される第１のメモリカード１或いは第３のメモリカード３が当たる。突起部１６３は張り出し部８８よりＺ１方向に突き出ており、第１の小型メモリカード２の誤挿入をブロックする。
【００２３】
排他的制御部材１６０が、Ｚ２方向に下降すると、図９に示すようになる。即ち、本体部１６１は張り出し部８８よりＺ２方向に突き出し、第１の小型メモリカード２の誤挿入をブロックする。突起部１６３は張り出し部８８の厚み内に収まる。
［排他的制御部材１７０］
図１０に示すように、張り出し部８７のうち挿入口７１に近い部位の切り欠かれている部分に、排他的制御部材１７０が、Ｚ１−Ｚ２方向に変位可能に組み込んである。排他的制御部材１７０は、本体部１７１を有し、この本体部１７１のＸ１側の部位に斜面部１７２を有し、Ｘ２側の部位に、突起部１７３を有する。斜面部１７２は突起部１７３よりもＹ２側に位置しており、突起部１７３は斜面部１７２よりもＹ１側に位置している。本体部１７１は張り出し部８７と略同じ厚さである。斜面部１７２は、Ｙ１方向に変位するにつれてＺ１方向に変位するように傾斜している。突起部１７３は、Ｚ１方向に突き出ている。
【００２４】
この排他的制御部材１７０は、コイルばね１７５によってＺ１方向に移動されて位置決めされており、図１０に示すように、本体部１７１は張り出し部８７と同じ高さに位置する。斜面部１７２は張り出し部８７よりＺ１方向に突き出ており、後述するように挿入される第２のメモリカード１１が当たる。突起部１７３は張り出し部８７よりＺ１方向に突き出ており、第２の小型メモリカード１２の誤挿入をブロックする。
【００２５】
排他的制御部材１７０が、Ｚ２方向に下降すると、図１１に示すようになる。即ち、本体部１７１は張り出し部８７よりＺ２方向に突き出し、第２の小型メモリカード１２の誤挿入をブロックする。突起部１７３は張り出し部８７の厚み内に収まる。
［単一のメモリカードの挿入装着］
［第１のメモリカード１について］
図１２中、○印は挿入可能を意味し、×印は挿入不可能を示す。この印は、他の図１３至１５等についても同様である。
【００２６】
第１のメモリカード１は、Ｗ１>Ｗ１１であるため、挿入口６２（メモリカード挿入口２７）、挿入口７１（メモリカード挿入口２８）、挿入口７２（メモリカード挿入口２９）への挿入は拒否される。
【００２７】
第１のメモリカード１は、挿入口６１（メモリカード挿入口２６）への挿入だけが許容され、メモリカード用コネクタ５０に、図１６（Ａ）に示すように装着される。接点群１ｂは図７中のコンタクト群１２０と接触する。また、第１のメモリカード１が検出コンタクト１２２，１２３を押し下げ、検出コンタクト１２２，１２３は撓まされて夫々Ｌ字状立ち上がり部１２１ａ、１２１ｂから離れて非接触となり、第１のメモリカード１が挿入されたことが検出される。
【００２８】
第１のメモリカード１が、挿入口６１（メモリカード挿入口２６）へ挿入されると、図８中の斜面部１６２が第１のメモリカード１自身によって押されて、排他的制御部材１６０がＺ２方向に押し下げられ、図９に示す状態となり、突起部１６３は第１のメモリカード１の挿入を妨害しない位置に退避し、第１のメモリカード１は突起部１６３によってブロックされることなく挿入される。
【００２９】
第３の小型メモリカード３についても同様である。
［第１の小型メモリカード２について］
第１の小型メモリカード２は、挿入口６２（メモリカード挿入口２７）への挿入については、図８中の突起部１６３の斜面部１６４によって拒否される。第１の小型メモリカード２の挿入側先端のＸ１側の角部が斜面部１６４に当たると。第１の小型メモリカード２は、Ｘ２側及びＺ１側に寄せられ、即ち、挿入口６２（メモリカード挿入口２７）のＸ２及びＺ１側のコーナに寄せられ、がたつくことなく、拘束される。
【００３０】
第１の小型メモリカード２は、挿入口７１（メモリカード挿入口２８）への挿入については、図１０中の突起部１７３によってブロックされて拒否される。
【００３１】
第１の小型メモリカード２の、挿入口７２（メモリカード挿入口２９）への挿入は、本体部１７１によって拒否される。
【００３２】
第１の小型メモリカード２は、挿入口６２（メモリカード挿入口２７）への挿入だけが許容され、メモリカード用コネクタ５０に、図１６（Ｂ）に示すように装着される。接点群２ｂは図７中のコンタクト群１３０と接触する。また、第１の小型メモリカード２が検出コンタクト１３２を押し下げ、検出コンタクト１３２は撓まされてＬ字形状部１２１ｃから離れて非接触となり、第１の小型メモリカード２が挿入されたことが検出される。
［第２のメモリカード１１について］
第２のメモリカード１１は、その幅との関係で、挿入口７２（メモリカード挿入口２９）への挿入、及び挿入口６２（メモリカード挿入口２７）への挿入は拒否される。
【００３３】
第２のメモリカード１１の挿入口６１（メモリカード挿入口２６）への挿入については、図８中の段部８８ａ又は図８中の突起部１６４によってブロックされて拒否される。
【００３４】
第２のメモリカード１１は、挿入口７１（メモリカード挿入口２８）への挿入だけが許容され、メモリカード用コネクタ５０に、図１６（Ｃ）に示すように装着される。接点群１１ｂは図７中のコンタクト群１４０と接触する。
【００３５】
第１のメモリカード１が、挿入口６１（メモリカード挿入口２６）へ挿入されると、図１０中の斜面部１７２が第２のメモリカード１１自身によって押されて、排他的制御部材１７０がＺ２方向に押し下げられ、図１１に示す状態となり、突起部１７３は第２のメモリカード１１の挿入を妨害しない位置に退避し、第２のメモリカード１１は突起部１７３によってブロックされることなく挿入される。
［第２の小型メモリカード１２について］
第２の小型メモリカード１２は、その幅との関係で、挿入口６２（メモリカード挿入口２７）への挿入は拒否される。
【００３６】
第２の小型メモリカード１２の挿入口６１（メモリカード挿入口２６）への挿入については、図８中の段部８８ａ又は図８中の突起部１６４によってブロックされて拒否される。
【００３７】
第２の小型メモリカード１２の挿入口７１（メモリカード挿入口２８）への挿入については、図１０中の突起部１７３によってブロックされて拒否される。
【００３８】
第２の小型メモリカード１２は、挿入口７２（メモリカード挿入口２９）への挿入だけが許容され、メモリカード用コネクタ５０に、図１６（Ｄ）に示すように装着される。接点群１２ｂは図７中のコンタクト群１８０と接触する。
［複数のメモリカードの挿入装着］
［第１のメモリカード１が挿入口６１に装着されている状態］
図１７に示すように、第１のメモリカード１が挿入口６１に装着されている状態においては、排他的制御部材１６０は図９に示すようにＺ２方向に下降しており、本体部１６１が張り出し部８８よりＺ２方向に突き出ている。よって、第１の小型メモリカード２の挿入口６２（メモリカード挿入口２７）への挿入は本体部１６１によってブロックされる。
【００３９】
第２のメモリカード１１と第２の小型メモリカード１２とのうち、第２のメモリカード１１を、挿入口７１（メモリカード挿入口２８）へ挿入すると、正常に装着される。
【００４０】
第２のメモリカード１１が装着されると、排他的制御部材１７０は図１１に示すようにＺ２方向に下降して、本体部１７１が張り出し部８７よりＺ２方向に突き出る。よって、第２の小型メモリカード１２の挿入口７２（メモリカード挿入口２９）への挿入は本体部１７１によってブロックされる。
【００４１】
これによって、メモリカード用コネクタ５０には、図１８（Ａ）に示すように、第１のメモリカード１と第２のメモリカード１１とが装着され、他のメモリカード、即ち、第１の小型メモリカード２及び第２の小型メモリカード１２は装着を拒否される状態となる。
【００４２】
なお、第２のメモリカード１１と第２の小型メモリカード１２とのうち、第２の小型メモリカード１２を挿入口７２（メモリカード挿入口２９）へ挿入すると、正常に装着される。図１７中、○を括弧して示す。第２の小型メモリカード１２が装着されると、第２の小型メモリカード１２自身が排他的制御部材１７０のＺ２側に位置して、排他的制御部材１７０の下降を制限する。このことによって、第２のメモリカード１１は斜面部１７２に当たって挿入口７１（メモリカード挿入口２８）への挿入がブロックされる。図１７中、×を括弧して示す。
【００４３】
これによって、メモリカード用コネクタ５０には、図１８（Ｂ）に示すように、第１のメモリカード１と第２の小型メモリカード１２とが装着され、且つ、メモリカード用コネクタ５０は、他のメモリカード、即ち、第１の小型メモリカード２及び第２のメモリカード１１の装着を拒否できる状態となる。
【００４４】
また、図１に示すように、第１のコネクタ６０に装着してある第１のメモリカード１はＳＤ系コントローラ２１によって制御され、第２のコネクタ７０に装着してある第２の小型メモリカード１２はＭＳ系コントローラ２２によって制御される。
［第１の小型メモリカード２が挿入口６２に装着されている状態］
図１９に示すように、第１の小型メモリカード２が挿入口６２に装着されている状態においては、第１の小型メモリカード２自身が排他的制御部材１６０のＺ２側に位置して、排他的制御部材１６０の下降を制限する（図８参照）。このことによって、第１のメモリカード１は斜面部１６２に当たって挿入口６１（メモリカード挿入口２６）への挿入がブロックされる。
【００４５】
第２のメモリカード１１と第２の小型メモリカード１２とのうち、第２のメモリカード１１を、挿入口７１（メモリカード挿入口２８）へ挿入すると、正常に装着され、第２の小型メモリカード１２の挿入口７２（メモリカード挿入口２９）への挿入は前記と同じ理由でブロックされる状態となる。
【００４６】
これによって、メモリカード用コネクタ５０には、図２０（Ａ）に示すように、第１の小型メモリカード２と第２のメモリカード１１とが装着され、且つ、メモリカード用コネクタ５０は、他のメモリカード、即ち、第１のメモリカード１及び第２の小型メモリカード１２の装着を拒否できる状態となる。
【００４７】
なお、第２のメモリカード１１と第２の小型メモリカード１２とのうち、第２の小型メモリカード１２を挿入口７２（メモリカード挿入口２９）へ挿入すると、正常に装着され、第２のメモリカード１１の挿入口７１（メモリカード挿入口２８）への挿入は前記と同じ理由でブロックされる状態となる。
【００４８】
これによって、メモリカード用コネクタ５０には、図２０（Ｂ）に示すように、第１の小型メモリカード２と第２の小型メモリカード１２とが装着され、且つ、メモリカード用コネクタ５０は、他のメモリカード、即ち、第１のメモリカード１及び第２のメモリカード１１の装着を拒否できる状態となる。
［第２のメモリカード１１が挿入口７１に装着されている状態］
図２１に示すように、第２のメモリカード１１が挿入口７１に装着されている状態においては、排他的制御部材１７０は図１１に示すようにＺ２方向に下降しており、本体部１７１が張り出し部８７よりＺ２方向に突き出ている。よって、第２の小型メモリカード１２の挿入口７２（メモリカード挿入口２９）への挿入は本体部１７１によってブロックされる。
【００４９】
第１のメモリカード１と第１の小型メモリカード２とのうち、第１のメモリカード１を挿入口６１（メモリカード挿入口６８）へ挿入すると、正常に装着される。
【００５０】
第１のメモリカード１が装着されると、排他的制御部材１６０は図９に示すようにＺ２方向に下降して、本体部１６１が張り出し部８８よりＺ２方向に突き出る。よって、第１の小型メモリカード２の挿入口６２（メモリカード挿入口２７）への挿入は本体部１６１によってブロックされる。
【００５１】
これによって、メモリカード用コネクタ５０には、図２２（Ａ）に示すように、第２のメモリカード１１と第１のメモリカード１とが装着され、且つ、メモリカード用コネクタ５０は、他のメモリカード、即ち、第２の小型メモリカード１２及び第１の小型メモリカード２の装着を拒否できる状態となる。
【００５２】
なお、第１のメモリカード１と第１の小型メモリカード２とのうち、第１の小型メモリカード２を挿入口６２（メモリカード挿入口２７）へ挿入すると、正常に装着される。
第１の小型メモリカード２が装着されると、第１の小型メモリカード２自身が排他的制御部材１６０のＺ２側に位置して、排他的制御部材１６０の下降を制限する（図８参照）。このことによって、第１のメモリカード１は斜面部１６２に当たって挿入口６１（メモリカード挿入口２６）への挿入がブロックされる。
【００５３】
これによって、メモリカード用コネクタ５０には、図２２（Ｂ）に示すように、第２のメモリカード１１と第１の小型メモリカード２とが装着され、他のメモリカード、即ち、第２の小型メモリカード１２及び第１のメモリカード１の装着を拒否できる状態となる。
［第２の小型メモリカード１２が挿入口７２に装着されている状態］
図２３に示すように、第２の小型メモリカード１２が挿入口７２に装着されている状態においては、第２の小型メモリカード１２自身が排他的制御部材１７０のＺ２側に位置して、排他的制御部材１７０の下降を制限する（図１０参照）。このことによって、第２のメモリカード１１は斜面部１７２に当たって挿入口７１（メモリカード挿入口２８）への挿入がブロックされる。
【００５４】
第１のメモリカード１と第１の小型メモリカード２とのうち、第１のメモリカード１を、挿入口６１（メモリカード挿入口２６）へ挿入すると、正常に装着され、第１の小型メモリカード２の挿入口６２（メモリカード挿入口２７）への挿入は前記と同じ理由でブロックされる状態となる。
【００５５】
これによって、メモリカード用コネクタ５０には、図２４（Ａ）に示すように、第２の小型メモリカード１２と第１のメモリカード１とが装着され、且つ、メモリカード用コネクタ５０は、他のメモリカード、即ち、第２のメモリカード１１及び第１の小型メモリカード２の装着を拒否できる状態となる。
【００５６】
なお、第１のメモリカード１と第１の小型メモリカード２とのうち、第１の小型メモリカード２を挿入口６２（メモリカード挿入口２７）へ挿入すると、正常に装着され、第２のメモリカード１１の挿入口７１（メモリカード挿入口２８）への挿入は前記と同じ理由でブロックされる状態となる。
【００５７】
これによって、メモリカード用コネクタ５０には、図２４（Ｂ）に示すように、第２の小型メモリカード１２と第１の小型メモリカード２とが装着され、且つ、メモリカード用コネクタ５０は、他のメモリカード、即ち、第２のメモリカード１１及び第１のメモリカード１の装着を拒否できる状態となる。
【実施例２】
【００５８】
図２５は本発明の実施例２になるメモリカード用コネクタ５０Ａの一部を示す。
【００５９】
２００は排他的制御部材であり、図１０中の排他的制御部材１７０に代えて設けてある。排他的制御部材２００は、断面が略台形の短い柱形状を有し、軸２０１によってハウジング８０のＸ２側の壁の内側であって、張り出し部８９のうち切り欠け部分に取り付けてあり、回動が可能である。排他的制御部材２００のＺ２側の部分２００ａが張り出し部８９よりＺ２方向に突き出ている。
【００６０】
第２のメモリカード１１が装着された状態では、排他的制御部材２００は、第２のメモリカード１１自身によって回動を制限された状態となり、第２の小型メモリカード１２の挿入は上記の部分２００ａによってブロックされる。
【００６１】
第２のメモリカード１１が装着されていない状態で第２の小型メモリカード１２を挿入すると、排他的制御部材２００は、挿入される第２の小型メモリカード１２によって押されて１８０度回動され、図２６に示すようになる。即ち、排他的制御部材２００は、部分２００ａが張り出し部８９よりＺ１方向に突き出し、且つ、装着された第２の小型メモリカード１２自身によって回動を制限された状態となる。よって、第２のメモリカード１１の挿入は上記の部分２００ａによってブロックされる。
【００６２】
特許請求の範囲の記載の第１の挿入口は挿入口６１が、第２の挿入口は挿入口６２が、第３の挿入口は挿入口７１が、第４の挿入口は挿入口７２が夫々対応する。
【００６３】
特許請求の範囲の記載の第１のメモリカードは第１のメモリカード１が、第２のメモリカードは第１の小型メモリカード２が、第３のメモリカードは第２のメモリカード１１が、第４のメモリカードは第２の小型メモリカード１２が夫々対応する。
【００６４】
特許請求の範囲の記載の第１の排他的制御部材は排他的制御部材１６０が、第２の排他的制御部材は排他的制御部材１７０が夫々対応する。
【図面の簡単な説明】
【００６５】
【図１】本発明の実施例１になるメモリカード用コネクタを使用される複数の種類のメモリカードと併せて示す図である。
【図２】図１の状態を上下反転した状態で示す図である。
【図３】本発明の実施例１になるメモリカード用コネクタの斜視図である。
【図４】カバー部材を取り外した状態のメモリカード用コネクタの斜視図である。
【図５】メモリカード用コネクタの正面図である。
【図６】カバー部材を取り外した状態のメモリカード用コネクタの平面図である。
【図７】メモリカード用コネクタのコンタクト群を示す図である。
【図８】第１のコネクタ部のうち排他的制御部材及びこの周辺の部分を拡大して示す図である。
【図９】図８の排他的制御部材が下降した状態を示す図である。
【図１０】第２のコネクタ部のうち排他的制御部材及びこの周辺の部分を拡大して示す図である。
【図１１】図１０の排他的制御部材が下降した状態を示す図である。
【図１２】第１のメモリカードの挿入及び挿入拒否を説明する図である。
【図１３】第１の小型メモリカードの挿入及び挿入拒否を説明する図である。
【図１４】第２のメモリカードの挿入及び挿入拒否を説明する図である。
【図１５】第２の小型メモリカードの挿入及び挿入拒否を説明する図である。
【図１６】メモリカード用コネクタへの単一のメモリカードの装着状態を示す図である。
【図１７】第１のメモリカードが装着してある状態における、他のメモリカードの挿入及び挿入拒否を説明する図である。
【図１８】メモリカード用コネクタへの第１のメモリカードと別のメモリカードとの装着状態を示す図である。
【図１９】第１の小型メモリカードが装着してある状態における、他のメモリカードの挿入及び挿入拒否を説明する図である。
【図２０】メモリカード用コネクタへの第１の小型メモリカードと別のメモリカードとの装着状態を示す図である。
【図２１】第２のメモリカードが装着してある状態における、他のメモリカードの挿入及び挿入拒否を説明する図である。
【図２２】メモリカード用コネクタへの第２のメモリカードと別のメモリカードとの装着状態を示す図である。
【図２３】第２の小型メモリカードが装着してある状態における、他のメモリカードの挿入及び挿入拒否を説明する図である。
【図２４】メモリカード用コネクタへの第２の小型メモリカードと別のメモリカードとの装着状態を示す図である。
【図２５】本発明の実施例２になるメモリカード用コネクタの一部を示す図である。
【図２６】図２５中の排他的制御部材が１８０度回動された状態を示す図である。
【符号の説明】
【００６６】
１  第１のメモリカード
２  第１の小型メモリカード
３  第３のメモリカード
１１  第２のメモリカード
１２  第２の小型メモリカード
２１  ＳＤ系コントローラ
２２  ＭＳ系コントローラ
５０、５０Ａ  メモリカード用コネクタ
６０  第１のコネクタ部
６１  上側の挿入口
６２  下側の挿入口
７０  第２のコネクタ部
７１  上側の挿入口
７２  下側の挿入口
８０  ハウジング
８１、８２  ハウジング部
８３  仕切り壁部
８６〜８９  張り出し部
１００  カバー部材
１１０  コンタクト群
１２０  第１のメモリカード用コンタクト群
１２１  グランドコンタクト
１２２，１２３  検出コンタクト
１３０  第１の小型メモリカード用コンタクト群
１４０  第２のメモリカード用コンタクト群
１５０  第２の小型メモリカード用コンタクト群
１６０  排他的制御部材
１６１  本体部
１６２  斜面部
１６３  突起部
１６４  斜面部
１６５  コイルばね
１７０  排他的制御部材
１７１  本体部
１７２  斜面部
１７３  突起部
１７５  コイルばね
２００  排他的制御部材
２０１  軸
【図１】
0004825046.tif 000002
【図２】
0004825046.tif 000003
【図３】
0004825046.tif 000004
【図４】
0004825046.tif 000005
【図５】
0004825046.tif 000006
【図６】
0004825046.tif 000007
【図７】
0004825046.tif 000008
【図８】
0004825046.tif 000009
【図９】
0004825046.tif 000010
【図１０】
0004825046.tif 000011
【図１１】
0004825046.tif 000012
【図１２】
0004825046.tif 000013
【図１３】
0004825046.tif 000014
【図１４】
0004825046.tif 000015
【図１５】
0004825046.tif 000016
【図１６】
0004825046.tif 000017
【図１７】
0004825046.tif 000018
【図１８】
0004825046.tif 000019
【図１９】
0004825046.tif 000020
【図２０】
0004825046.tif 000021
【図２１】
0004825046.tif 000022
【図２２】
0004825046.tif 000023
【図２３】
0004825046.tif 000024
【図２４】
0004825046.tif 000025
【図２５】
0004825046.tif 000026
【図２６】
0004825046.tif 000027